(57)【要約】【課題】  電子ペーパーの機能に支障を生じさせることなく、用紙と同様にファイル綴じしたりホッチキス止めすることができる電子ペーパーを提供する。【解決手段】  電子ペーパーＥＰの表示部２等の機能部がない隅部や側部に孔あけ領域３０を設け、孔あけ領域３０でパンチ孔をあけたりホッチキス止めする。また、孔あけ領域３０はゴム等の孔をあけ易い材料で形成され、また、束ねられた電子ペーパーＥＰのページ捲り操作をし易いように、孔あけ領域３０との境界に柔軟な折り曲げ部３１が設けられる。【選択図】  図１
2006074311.tif 000002
【特許請求の範囲】
【請求項１】
電子ペーパーにファイル用の孔を形成し又はホッチキス止めするために、縁部に孔あけ領域を設けたことを特徴とする電子ペーパー。
【請求項２】
請求項１に記載の電子ペーパーにおいて、
前記孔あけ領域は、電子ペーパー本体の縁部に窓を設け、当該窓内に孔あけ用のシートを収めることにより形成されていることを特徴とする電子ペーパー。
【請求項３】
請求項１又は請求項２に記載の電子ペーパーにおいて、
前記孔あけ領域は弾性材料により形成されていることを特徴とする電子ペーパー。
【請求項４】
請求項１又は請求項２に記載の電子ペーパーにおいて、
前記孔あけ領域は紙により形成されていることを特徴とする電子ペーパー。
【請求項５】
請求項１又は請求項２に記載の電子ペーパーにおいて、
前記孔あけ領域は金属メッシュ構造により形成されていることを特徴とする電子ペーパー。
【請求項６】
請求項５に記載の電子ペーパーにおいて、
前記金属メッシュの線材は表面がテーパー形状であることを特徴とする電子ペーパー。
【請求項７】
請求項１乃至請求項６のいずれか１項に記載の電子ペーパーにおいて、
前記孔あけ領域にはファイル用孔の形成位置又はホッチキス止め位置を示すマークが表示されていることを特徴とする電子ペーパー。
【請求項８】
請求項１乃至請求項７のいずれか１項に記載の電子ペーパーにおいて、
前記孔あけ領域と電子ペーパー本体との間には柔軟な折り曲げ部が設けられていることを特徴とする電子ペーパー。
【請求項９】
請求項１乃至請求項８のいずれか１項に記載の電子ペーパーにおいて、
前記孔あけ領域と電子ペーパー本体との間には電子ペーパー本体の撓みを防止する補強部が設けられていることを特徴とする電子ペーパー。
【請求項１０】
請求項１乃至請求項９のいずれか１項に記載の電子ペーパーにおいて、
前記孔あけ領域にはファイル用の孔が予め形成されていることを特徴とする電子ペーパー。
【請求項１１】
請求項１０に記載の電子ペーパーにおいて、
前記孔あけ領域のファイル用の孔は位置変更可能に設けられていることを特徴とする電子ペーパー。
【請求項１２】
請求項１乃至請求項８のいずれか１項に記載の電子ペーパーにおいて、
前記孔あけ領域は電子ペーパー本体に着脱可能に設けられることを特徴とする電子ペーパー。
【発明の詳細な説明】
【技術分野】
【０００１】
本発明は、画像情報を表示部に無電源状態で表示保持し、当該画像情報を書き換え可能な電子ペーパーに関し、特に、パンチ孔によるファイリングやホッチキス止めをすることができる電子ペーパーに関する。
【背景技術】
【０００２】
ネットワークから取得した情報や文書処理装置で作成された文書等の情報は、パーソナルコンピュータのディスプレイ画面に画像表示する、或いは、プリンタによって紙媒体（用紙）に画像を印刷すると言った方法でユーザの閲覧に供されている。
このような画像情報の閲覧において、ディスプレイ画面に表示する方法に較べて、画像情報を用紙に印刷して表示する方法は、何時でも何処にでも容易に持ち運びすることができ、無電源の状態で画像情報を閲覧することができ、しかも、複数の画像情報を複数枚の用紙に印刷することにより複数のコンテンツ画像を同時に閲覧することができるという利点がある。
【０００３】
近年では、紙媒体である用紙にとって代わることが可能な表示媒体として、画像情報を表示部に無電源状態で表示保持することができ、しかも、用紙の如く薄型で持ち運び自在である電子ペーパーが開発されている。
電子ペーパーは、無電源状態で画像を表示保持する表示部を有した表示装置であり、例えば、電子データに基づいて自己で画像を表示部に書き込む機能を有する自己書き込み型電子ペーパーと、投影された画像を表示部に保持する光書き込み型電子ペーパーとがある。
このような電子ペーパーは、用紙と異なって表示部に表示保持した画像を消去したり上書きすることが可能であり、表示保持する画像を更新したり消去して、繰り返し使用することができるので紙資源の節約等の観点からも利用促進が望まれている。
【０００４】
ここで、このような電子ペーパーに関して、電子ペーパーを電子ペーパーファイルに着脱可能とし、着脱状態に応じて表示部への画像の表示処理を行う発明が提案されている（特許文献１参照。）。
また、予め関連付けた複数のデータを複数の電子ペーパーへ無線送信して、各電子ペーパーで画像を表示させる発明が提案されている（特許文献２参照。）。
また、送信用電子ペーパーと受信用電子ペーパーとを電子ペーパーファイルに装着して、電子ペーパー間でコンテンツを送信する発明が提案されている（特許文献３参照。）。
また、複数の電子ペーパーを装着することができるファイル装置から、各電子ペーパーへデータを無線して表示させる発明が提案されている（特許文献４参照。）。
また、ユーザの行動範囲に設けられた書き込み装置により、電子ペーパー等の表示装置を保持したユーザが書き込み装置近傍を通過する毎に表示装置が表示する内容を更新する発明が提案されている（特許文献５参照。）。
【特許文献１】特開２００１―３１２２２７号公報
【特許文献２】特開２００２―９１７４９号公報
【特許文献３】特開２００２―３００３３３号公報
【特許文献４】特開２００３―２２２５７号公報
【特許文献５】特開２００２―２４８６５号公報
【発明の開示】
【発明が解決しようとする課題】
【０００５】
上記のように電子ペーパーは用紙と同等に用いることができ、例えば、複数の電子ペーパーに画像情報を表示保持させて閲覧したり保存したりすることができる。
ここで、複数の用紙を扱う場合には、複数の用紙にパンチ穴をあけてファイルに綴じたり、複数の用紙をホッチキス止めして束に纏めたりすることが行われている。
【０００６】
しかしながら、電子ペーパーは、用紙より優れた機能を実現するために、画像情報を書き換え可能な表示部や表示処理等に必要な処理機能部を備えていることから、用紙と同様に、任意の位置にパンチ穴をあけたりホッチキス止めすると、これら表示部や処理機能部が破損してしまうおそれがあった。また、一般に、電子ペーパーは樹脂等の基材により形成されているので、仮に支障のない部位であっても、用紙より硬い基材にパンチ穴をあけたりホッチキス止めすることは困難であった。
【０００７】
本発明は、機能に支障を生じさせることなく、ファイルに綴じたり、ホッチキス止めしたりという用紙と同様な扱いができる電子ペーパーを提供することを目的としている。
【課題を解決するための手段】
【０００８】
本発明では、表示部や処理機能部が無い或いは表示部や処理機能部と干渉しない電子ペーパーの縁部に孔あけ領域を設け、当該孔あけ領域にファイル用の孔を形成し又はホッチキス止めするようにして、電子ペーパーの機能に支障を生じさせることなくファイル綴じやホッチキス止めを可能としている。
孔あけ領域は電子ペーパーの本体と一体成形するようにしてもよく、また、別体の孔あけ領域を電子ペーパー本体に固定的又は着脱可能に取り付けるようにしてもよい。また、孔あけ領域は、電子ペーパー本体の縁部に窓を設け、当該窓内に孔あけ用のシートを収めることにより形成してもよい。
【０００９】
孔あけ領域は、例えば、紙、ゴムやウレタン等の弾性材料、金属メッシュ構造体により構成することができ、パンチ孔あけやホッチキス止めが可能な材料であれば特に限定はない。
また、孔あけ領域には、ユーザに位置を確認させて安全且つ確実な作業を行わせるため、位置をファイル用孔の形成位置又はホッチキス止め位置をマーク表示しておくのが好ましい。
【００１０】
また、孔あけ領域と電子ペーパー本体との間に柔軟な折り曲げ部を設けておくのが好ましく、これによって、ファイル綴じ或いはホッチキス止めされた電子ペーパーを捲り易くし、更には、捲り作業に際して電子ペーパーに無理な曲げが加わることによる機能故障を防止することができる。
また、孔あけ領域と電子ペーパー本体との間には剛性の高い補強部を設けておくのが好ましく、パンチ孔をあける作業やホッチキス止め作業に際して電子ペーパーに無理な曲げが加わることによる機能故障を防止することができる。
【００１１】
また、孔あけ領域にはファイル用の孔が予め形成されているようにしてもよく、このように予め孔を設ける場合には、ファイル用の孔はスライドさせる等により位置変更可能として、ファイルブック等の孔位置に合わせることができるようにするのが好ましい。
また、孔あけ領域は電子ペーパー本体に着脱可能に設けるのが好ましく、幾度もパンチ孔を空けたりホッチキス止めした孔あけ領域を新たなものに交換したり、パンチ孔やホッチキス止めが不要な場合には取り外せるようにするのが好ましい。
【発明の効果】
【００１２】
本発明によると、パンチ孔やホッチキスに使用する領域を電子ペーパーに設けたため、電子ペーパーを機能に支障を生じさせることなく用紙と同様にファイル綴じしたりホッチキス止めすることができ、電子ペーパーの使用環境をより快適なものにして電子ペーパーの利用促進を図ることができる。
【発明を実施するための最良の形態】
【００１３】
本発明を実施例に基づいて具体的に説明する。
まず、本発明が適用される電子ペーパーの一例について、図１６〜図２２を参照して基本的な構成を説明する。
電子ペーパーＥＰは、画像の記録方式に違いにより大別して、図１６〜図１８に示す自己書き込み型と、図１９〜図２１に示す光書き込み型とがあり、いずれの形式にあっても紙の様に薄型の装置である。
【００１４】
図１６（ａ）には自己書き込み型電子ペーパーＥＰを正面視して示し、同図（ｂ）には当該自己書き込み型電子ペーパーＥＰを側面視で示してある。図示の電子ペーパーＥＰは画像を表示保持する表示部２と表示灯データの通信や表示処理等の処理を司る処理部３とを有しており、同図（ａ）には処理部３に内蔵されている諸機能部も表してある。
自己書き込み型電子ペーパーＥＰは、例えばＡ４版の用紙のような大きさの樹脂等を基材として構成された薄型表示装置であり、大部分の面積を占める表示部２の一片に処理部３が設けられている。
【００１５】
処理部３には、表示部２を駆動するドライバ４、外部と通信するための通信部５、電子データを読み書き自在に保持するメモリ６、種々な処理を司るプロセッサ７、通信部５やプロセッサ７等の駆動電力を供給するバッテリ８、画像表示に対する指示等のユーザ操作入力を受け付けるボタン等の操作部９が設けられている。
自己書き込み型電子ペーパーＥＰは、外部の通信機能を有する装置と通信部５で通信することにより、メモリ６に記憶する電子データ（画像データ等）を送受信し、また、これら電子データをメモリ６に保持することができる。
【００１６】
更に、自己書き込み型電子ペーパーＥＰは、メモリ６に保持したデータに基づいてドライバ４が表示部２に画像を書き込むことことができ、ドライバ４の駆動電力を除去しても表示部２に画像情報を表示状態で保持し続ける機能を有している。
自己書き込み型電子ペーパーＥＰは、表示部２の断面構造を表す図１８に示すように、複写機にトナーとして利用されている微細な着色粒子（図示の例では、白色粒子１１と黒色粒子１２）を少なくとも表面側が透明な表裏一対の電極１３間に封入し、これを少なくとも表面側が透明な表裏一対のフィルム基板１４で挟んだ構造となっている。着色粒子１１、１２が自由に移動できるように電極層１３間は空気層となっており、また、マトリックス状の電極層１３には着色粒子１１、１２との接触を防止する絶縁層１５が設けられている。なお、カラーフィルターを用いることにより、簡単な構造でカラー表示を実現することも可能である。
【００１７】
そして、自己書き込み型電子ペーパーＥＰは、表示部２の動作原理を表す図１７に示すように、電極１３に電圧を印加していない状態（但し、電極１３は前回の駆動時の極性に帯電している）では、負（マイナス）に帯電した白色粒子１１は裏面側に溜まる一方、正（プラス）に帯電した黒色粒子１２は表面側に溜まり、表示部２を表面側から目視すると表示部２は黒色な状態となる。そして、メモリ６に記憶されたデータに基づいてドライバ４が動作して表示する画像情報に応じたマトリックスの所要部の電極極性を反転させると、白色粒子１１と黒色粒子１２との位置関係が入れ替わって、表示部２に白色粒子１１と黒色粒子１２とのコントラストによる画像情報が表示される。なお、異なるデータに基づいてドライバ４を動作させることにより、白色粒子１１と黒色粒子１２とのコントラストにより表示部２に表示される画像情報を切り換えることができ、幾度も再使用することができる。
【００１８】
光書き込み型電子ペーパーＥＰは、例えばＡ４版の用紙のような大きさの樹脂等の基材で形成された薄型の装置である。
光書き込み型電子ペーパーＥＰは、例えば図１９に示すように、液晶パネル１に画像情報を表示し、電極１０に外部の電源から電圧を印加しながら光書き込み型電子ペーパーＥＰを液晶パネル１に重ねて光を照射することにより、液晶パネル１に表示させた画像情報を表示部２に転写して表示保持させることができる。
すなわち、光書き込み型電子ペーパーＥＰは電極１０に電圧を印加することで投影された画像を表示部２に転写し、電極１０に印加した電圧を除去した後も当該画像を表示状態で保持し続ける機能を有している。
【００１９】
光書き込み型電子ペーパーＥＰは、表示部２の断面構造を表す図２１に示すように、複写機に利用されている有機光導電性材料の層（有機光導電層）２０と液晶表示材料の層（マイクロカプセル化したコレステリック液晶層）２１とを組み合わせ、これら層を表裏一対の透明電極２２で挟み、この積層体を表裏一対の透明な基材フィルム２３で挟んだ構造となっている。なお、この構成では、コレステリック液晶層２１が光を反射する白表示と、光が液晶層２１を透過しコレステリック液晶層２１と有機光導電層２０との間に設けられた黒色層２４で吸収される黒表示のモノクロ画像表示が可能である。さらにコレステリック液晶には螺旋ピッチに応じたカラー光を干渉反射するという特性があるので、コレステリック液晶層２１を螺旋ピッチの異なる液晶を積層した構成にすることにより、簡単な構造でカラー表示を実現することも可能である。
【００２０】
そして、光書き込み型電子ペーパーＥＰは、表示部２の動作原理を表す図２０に示すように、例えば画像書込み用の調光素子パネル（発光パネル）１に転写する画像を表示して表示部２に投影し、電極１０に電圧を印加すると、光の強弱を瞬時に反射濃度に変換して当該投影画像を保持する。そして、光書き込み型電子ペーパーＥＰは書き込みと消去を繰り返して幾度も再使用することができる。
【００２１】
なお、本発明は、自己書き込み型電子ペーパーや光書き込み型電子ペーパーといった形式以外の電子ペーパーも勿論適用することができ、例えば、外部の書き換え装置に装填して表示部に自己書き込み型のように電子的に画像情報を書き込む形式であってもよい。すなわち、上記の自己書き込み型電子ペーパーは外部の画像書き込み装置を要しない形式の電子ペーパーの一例であり、光書き込み型電子ペーパーは外部の画像書き込み装置を要する形式の電子ペーパーの一例であるとも言える。
また、電子ペーパーＥＰの表示部２としては、強誘電液晶に代表されるメモリ性のある液晶や、帯電された粒子を移動させて表示を切り替える電気泳動方式、帯電された粒子を回転させて表示を切り替える粒子回転方式、磁気により粒子を移動させて表示を切り替える磁気泳動方式、小型バッテリ駆動の薄型の液晶やＥＬ素子を用いてもよい。
【００２２】
図１には、本発明に係る電子ペーパーＥＰの一例を正面視して示してある。
図１（ａ）に示す電子ペーパーＥＰは縁部の左隅部に孔あけ領域３０を設けて、当該領域３０でホッチキス止めができるようにしている。
図１（ｂ）に示す電子ペーパーＥＰは縁部の左側部に孔あけ領域３０を設けて、当該領域３０にパンチ穴をあけてファイル綴じができるようにしている。
これら孔あけ領域３０は上記表示部２や処理部３が無い部位に設定されており、当該領域３０にパンチ穴をあけたりホッチキス穴をあけても、これら表示部２や処理部３の機能を損なってしまうことはない。
【００２３】
また、本例では、図１のＡ−Ａ断面である図２（ａ）に示すように、孔あけ領域３０と電子ペーパーＥＰの本体（すなわち、表示部２や処理部３側部分）との間にノッチ３１を延在させて設けて折り曲げ部を形成しており、孔あけ領域３０を止めた状態で電子ペーパーＥＰの本体を捲り操作すると、折り曲げ部３１で容易に折り曲がるようになっている。
したがって、ファイル綴じしたりホッチキス止めした状態で、電子ペーパーＥＰをページ捲り操作しても、電子ペーパー本体には無理な曲げがかからず、表示部２や処理部３に故障を生じさせるような応力がかからない。
【００２４】
折り曲げ部３１は容易に折り曲げられるものであれば他の方法で形成することもでき、例えば、図１のＡ−Ａ断面である図２（ｂ）に示すように、別部材として構成した孔あけ領域３０と電子ペーパーＥＰとを柔軟性を有する材料３１により接続して、孔あけ領域３０と電子ペーパー本体との間に折り曲げ部を延設してもよい。
【００２５】
このように孔あけ領域３０を電子ペーパーＥＰと別部材で構成して、任意な方法で孔あけ領域３０を電子ペーパーＥＰに取り付けるようにすると、孔あけ領域３０を電子ペーパーＥＰとは異なる材料から形成することができる。孔あけ領域３０は、容易に孔あけやホッチキス止めができることが望まれるので、電子ペーパーＥＰの基材（例えば、樹脂）に較べて柔らかい紙、ゴム、ウレタン、孔あけし易いメッシュ構造材等の材料で形成するのが好ましい。
ここで、ゴムやウレタン等の弾性材を用いる場合には、ホッチキス孔程度の小さな孔であれば弾性により塞がるので、ホッチキス止めを幾度も繰り返して使用することができる。また、本発明では折り曲げ部３１は必須ではないが、折り曲げ部３１を設けずとも孔あけ領域３０の柔軟性で捲り操作の柔軟性を賄うこともできる。
【００２６】
図３（ａ）には本発明に係る電子ペーパーＥＰの他の一例を正面視して示し、同図（ｂ）にはそのＡ−Ａ断面を示してある。
本例の電子ペーパーＥＰでは、孔あけ領域３０を電子ペーパーＥＰの縁部全周に延在させて設けており、表示部２や処理部３を含む電子ペーパー本体と孔あけ領域３０との間に補強部３２が設けられている。
【００２７】
本例の補強部３２は肉厚にしたリブ状部で形成されており、これによって他の部分より剛性が高くなっている。
したがって、孔あけ領域３０にパンチ穴をあけたりホッチキス止めをする操作を行って曲げを生じさせる力がかかっても、補強部３２により電子ペーパー本体の撓みが防止され、表示部２や処理部３に故障を生じさせるような応力が生じない。
【００２８】
なお、補強部３２は金属等の剛性の高い材料を延設する方法で形成してもよく、また、孔あけ領域３０を電子ペーパーＥＰと別部材として形成して電子ペーパーに取り付ける場合には、剛性の高い材料を介在させて孔あけ領域３０を電子ペーパーＥＰに取る付けることにより形成してもよい。
また、補強部３２は全周に設けずともよく、少なくとも、電子ペーパーＥＰの一辺や一隅と言った種々な位置に設けられる孔あけ領域３０と電子ペーパ本体とを仕切るように設ければよい。
また、上記の折り曲げ部３１を併設してもよく、この場合には、折り曲げ部３１は補強部３２より孔あけ領域３０側に設けるのが好ましい。
【００２９】
図４（ａ）には本発明に係る電子ペーパーＥＰの他の一例を正面視して示し、同図（ｂ）にはそのＡ−Ａ断面を示してある。
本例の電子ペーパーＥＰでは、電子ペーパーの上面及び下面を構成する表面基材（例えば、図１８の透明基板１４、図２１の基材フィルム２３に相当）に大きさの差を持たせ、下面基材３３（または、上面基材３４）を上面基材３４（または、下面基材３３）より大きく張り出させて、当該張り出し部を孔あけ領域３０としている。
【００３０】
したがって、電子ペーパーの製造過程で容易に孔あけ領域３０を形成することができ、この孔あけ領域３０は電子ペーパーＥＰより肉薄でもあるので、容易且つ安全にパンチ穴をあけたりホッチキス穴をあけることができる。
【００３１】
なお、図５に示すように、電子ペーパーＥＰを少なくとも表示部２を透視させるフォルダ袋３５に封入又は取り出し可能に収め、電子ペーパーＥＰより張り出したフォルダ袋３５の縁部を孔あけ領域３０としてもよい。
【００３２】
図６には本発明に係る電子ペーパーＥＰの他の一例を正面視して示てある。
本例の電子ペーパーＥＰでは、図６（ａ）に示すように、電子ペーパーＥＰの隅部に設けた孔あけ領域３０にホッチキス止めすべき位置を示すマーク３６を表示して設け、また、同図（ｂ）に示すように、電子ペーパーＥＰの側部に設けた孔あけ領域３０にパンチ孔をあけるべき位置を示すマーク３７を表示して設けている。
【００３３】
したがって、これらマーク３６、３７の表示によりホッチキス止めやパンチ孔あけをしても安全な部位をユーザに確実に認識させることができる。
上記のような折り曲げ部３１や補強部３２を目視可能に設けることで孔あけ部３０の位置を認識させることが可能であるが、本例は折り曲げ部３１や補強部３２を設けない態様では効果的である。
なお、孔あけ領域３０の色を変えたり模様を変えることで、孔あけ領域３０自体を他の部位と視覚的に峻別できるマークとしてもよい。
【００３４】
図７には本発明に係る電子ペーパーＥＰの他の一例を正面視して示てある。
本例の電子ペーパーＥＰでは、孔あけ領域３０を別部材で形成して電子ペーパーＥＰの縁部に着脱可能に設けている。すなわち、孔あけ領域３０と電子ペーパーＥＰの縁部とにそれぞれ面ファスナー３８を設けて、これら面ファスナー３８の係合により、孔あけ領域３０を電子ペーパーＥＰの縁部に取り付けている。
【００３５】
したがって、孔あけ領域部材３０を電子ペーパーＥＰから取外すことができるので、既に多数のパンチ孔が開けられたりホッチキス孔があけられてしまった孔あけ領域部材３０を新たなものに交換することや、孔あけ領域部材３０が不要なときには取り外すことができる。
なお、面ファスナー以外に、マグネットや粘着テープ等を用いることもできる。
【００３６】
図８（ａ）には本発明に係る電子ペーパーＥＰの他の一例を正面視して示し、同図（ｂ）にはその要部を斜視して示してある。
本例の電子ペーパーＥＰでは、隅部に貫通した窓部４０を設け、窓部４０内に紙、ゴム、ウレタン等の孔あけ用シート材４１を設けて、当該シート材４１により孔あけ領域３０を形成している。
したがって、窓部４０においてシート材４１にホッチキス止めすることができる。
【００３７】
なお、電子ペーパーＥＰに窓部４０に連通するスリット４２を設け、当該スリット４２を通してシート材４１を交換できるようにするのが好ましい。
また、パンチ孔用の孔あけ領域を設ける場合には、図９に示すように、電子ペーパーＥＰの側部に窓部４０を設け、窓部４０内にシート材４１を設ければよい。
【００３８】
図１０（ａ）には本発明に係る電子ペーパーＥＰの他の一例を正面視して示し、同図（ｂ）にはそのＡ−Ａ断面を示してある。
本例の電子ペーパーＥＰでは、側部に貫通したスリット４３をパンチ孔に対応した間隔で設け、これらスリット４３を通してループ状の孔あけ用シート材４４を設けて、当該シート材４４により孔あけ領域３０を形成している。
【００３９】
したがって、電子ペーパーＥＰの縁部から張り出したシート材４４にパンチ孔をあけてファイリングすることができる。
なお、ホッチキス止め用には、図１１に示すように、電子ペーパーＥＰの隅部にスリット４３を設けて、このスリット４３を通してループ状のシート材４４を設ければよい。
【００４０】
ここで、上記の例では、未だパンチ孔等の孔が形成されていない孔あけ領域３０を示したが、本発明では、上記の孔あけ領域３０に予めパンチ孔等を設けておいてもよい。
予め孔を形成しておく場合、既製の孔間隔では、電子ペーパーを綴じようとするフォルダブックの綴じピンの間隔に合わないこともあるので、例えば図１２に示すように、ファイリングに用いる孔４５をスライドさせて、これら孔４５の間隔を調整できるようにするのが好ましい。すなわち、電子ペーパーＥＰに縁部に延設した窓部４７内に孔４５が形成された孔あけ領域部材４６をスライド可能に設け、孔あけ領域部材４６をを移動させることにより、２つの孔４５の間隔を調整する。
【００４１】
また、ファイリングや纏め用の孔はパンチ孔のように円形でなくてもよく、例えば図１３に示すように、複数の電子ペーパーＥＰ束ねるプラグや紙片を挿し込む形状の孔４８であってもよい。
また、複数の電子ペーパーＥＰを束ねる方法に特に限定はないが、例えば図１４に示すように、孔あけ領域３０に形成した孔４９にリベットプラグ５０を挿し込んで、当該リベットプラグ５０により複数の電子ペーパーＥＰを束ねるようにしてもよい。
【００４２】
また、図１５（ａ）（ｂ）に示すように、孔あけ領域３０を金属線等の剛性の高い線材５１からなるメッシュ構造体で構成すると、ホッチキス針５２が線材５１間の隙間を貫通して容易にホッチキス止めすることができ、しかも、加締められたホッチキス針５２が線材５１を抱えるようになるので、強固なホッチキス止めを行うことができる。
この場合、メッシュピッチはホッチキス針５２が通り易いものとするのが好ましい。また、線材５１は、図１５（ｃ）に示すように、表面にテーパー面５３を有する断面形状であるのが好ましく、これによって、ホッチキス針５２の先端が線材５１に当っても、ホッチキス針５２はテーパー面５３でガイドされて線材間を貫通する。
【図面の簡単な説明】
【００４３】
【図１】本発明の一例に係る電子ペーパを示す図である。
【図２】本発明の一例に係る電子ペーパーの断面構造を示す図である。
【図３】本発明の一例に係る電子ペーパを示す図である。
【図４】本発明の一例に係る電子ペーパを示す図である。
【図５】本発明の一例に係る電子ペーパを示す図である。
【図６】本発明の一例に係る電子ペーパを示す図である。
【図７】本発明の一例に係る電子ペーパを示す図である。
【図８】本発明の一例に係る電子ペーパを示す図である。
【図９】本発明の一例に係る電子ペーパを示す図である。
【図１０】本発明の一例に係る電子ペーパを示す図である。
【図１１】本発明の一例に係る電子ペーパを示す図である。
【図１２】本発明の一例に係る電子ペーパを示す図である。
【図１３】本発明の一例に係る電子ペーパを示す図である。
【図１４】本発明の一例に係る電子ペーパーの断面構造を示す図である。
【図１５】本発明の一例に係る電子ペーパーの断面構造を示す図である。
【図１６】自己書き換え型電子ペーパーを示す図である。
【図１７】自己書き換え換え型電子ペーパーの動作原理を説明する図である。
【図１８】自己書き換え型電子ペーパーの構造を説明する図である。
【図１９】光書き込み型電子ペーパーを示す図である。
【図２０】光書き込み型電子ペーパーの動作原理を説明する図である。
【図２１】光書き込み型電子ペーパーの構造を説明する図である。
【符号の説明】
【００４４】
ＥＰ：電子ペーパー、  ２：表示部、
３：処理部、  ３０：孔あけ領域、
３１：折り曲げ部、  ３２：補強部、
３６、３７：表示マーク、  ３８：面ファスナー、
４０：窓部、  ４１：シート材、
４２：スリット、  ４４：シート材、
５１：メッシュ線材、  ５２：テーパー面、
【図１】
2006074311.tif 000003
【図２】
2006074311.tif 000004
【図３】
2006074311.tif 000005
【図４】
2006074311.tif 000006
【図５】
2006074311.tif 000007
【図６】
2006074311.tif 000008
【図７】
2006074311.tif 000009
【図８】
2006074311.tif 000010
【図９】
2006074311.tif 000011
【図１０】
2006074311.tif 000012
【図１１】
2006074311.tif 000013
【図１２】
2006074311.tif 000014
【図１３】
2006074311.tif 000015
【図１４】
2006074311.tif 000016
【図１５】
2006074311.tif 000017
【図１６】
2006074311.tif 000018
【図１７】
2006074311.tif 000019
【図１８】
2006074311.tif 000020
【図１９】
2006074311.tif 000021
【図２０】
2006074311.tif 000022
【図２１】
2006074311.tif 000023